(57)【要約】【課題】  携帯電話の充電機能は単機能であり再生音は良質な大きな音で再生できない。また充電器がインテリアとして利用できない。さらに携帯電話を買い換える際にはダウンロードした楽曲は著作権法によりデータ移植が不可能であり携帯電話機ごと廃棄処分せねばならず非経済的である。【解決手段】  充電器下部及び両サイドを音響箱にすることによって音量・音質が改善される上、両サイド音響箱と中央部はセパレート型でも一体型でもよく小型高性能化にとらわれずに設計・デザインができる。  また本発明の携帯電話用音響箱は充電器機能を兼ね備えていることで通信機能が不要になった携帯電話でも廃棄することなくインテリアとして使用しながらダウンロードした楽曲を再生して聴くことができる。【選択図】  図１
2005184050.tif 000002
【特許請求の範囲】
【請求項１】
携帯電話を保持する電話保持具と携帯電話のスピーカー部から音を取り込む音源取り込
み口が形成され、音源取り込み口から取り込まれた音を拡大し出力する音道が形成され
た電話置き台を備えたことを特徴とする携帯電話用音響箱。                        
【請求項２】
前記電話置き台の両側に連通する音道を設けたことを特徴とする請求項1記載の携帯電
話用音響箱。
【請求項３】
前記電話置き台の両側連通口より音を取り込み拡大し出力する音道を形成したことを特
徴とする携帯電話用音響箱。
【請求項４】
音道が渦巻状に形成されていることを特徴とする携帯電話用音響箱。
【発明の詳細な説明】
【技術分野】
【０００１】
本発明は携帯電話が持つ機能のうち、着信音、楽曲再生用の内蔵スピーカーを利用して音量を拡大しようとするもので、この音響箱が電話置き台も兼ねる携帯電話用音響箱である。
【背景技術】
【０００２】
特許文献１〜３には、音響箱内にスピーカー、アンプ、ＬＥＤ等各種装置を備えた携帯電話保持具が記載されている。
【特許文献１】特開２００１−１８９７８７
【特許文献２】特開２００３−６１１７８
【特許文献３】特開平１０−２２４４４６
【発明の開示】
【発明が解決しようとする課題】
【０００３】
携帯電話の内蔵スピーカーは小型高性能であるが、音量は出力不足であり、専用充電器にその補完性はなく、装飾性もない。また音量拡大、音質改善のためには電源・アンプ・スピーカーが必要である。
【課題を解決するための手段】
【０００４】
そこで本発明では、電源・アンプ・スピーカーなどを用いることなく携帯電話による再生音を十分な音量・音質で得ることができて構造が簡単な携帯電話用音響箱を提供するものである。  音響箱内部の形状を各種ホーン型にしてなおかつサイドホーンを設ける。携帯電話を置台に乗せてスピーカー部を音源入力口に密着させて楽曲の再生をすることによりホーン内音道を通過する際に再生音は拡大され電話機本体の内蔵スピーカーからの音でも十分な音量、音質を得ることができる。
本発明の携帯電話用音響箱は、携帯電話に内蔵されているスピーカーを利用して再生音量を大きくするための装置であって携帯電話置き台として用い、置き台の一部に設けた音源入力口を通じて音響箱内に音を取り込み、音量、音質を改善できる。
また上記の音響箱は、携帯電話の内蔵スピーカーを音源とするので、音響箱本体には音を大きくするための電源、アンプ、またはスピーカーが不要である。
音響箱の内部はホーン状の拡声装置を形成し、そのホーンの形状は、バックローデイングホーン・角型・丸型・ラッパ型・メガホン型いずれも採用できる特徴をもつ。
ホーン途中には音量調節用仕切り板を取り付けてあるのが特徴である。音響箱はその両側面にサイドホーンを設け、音響箱の一部に音の出口となる穴をあけて、サイドホーンの一部にあけた音源取り込み口から音を取り込み拡大することにより一層の音量拡大を得る。
音量調節は仕切り板を設けて行いる。サイドホーンの音道の長さはセンター部ホーンの音道長さに差をつけることにより音の出力時間に差をつけて、聞こえてくる音全体に幅と広がりを持たせることができる。またサイドホーン部自体は音道の確保さえできていればその外観は自由な設計・デザインができ装飾置物として利用できる特徴がある。
またセンター部音響箱の音源入力口の上部には２ケの穴をあけて、CD・MD・ラジオのイヤホン・ヘッドホンを差し込むことによりイヤホンを耳に当てることなく音量を上げて聞くことができる。しかも電源不要なので、場所を選ばずに音響箱として利用できる特徴がある。
音響箱は電話機置き台部に電話保持具と充電スィッチ、電源ピンをもうけ、裏面にA・Cアダプタープラグ差込ソッケトを装着し内部で結線することにより充電機能を持つことができる。この携帯電話用音響箱の材質は硬質塩化ビニール・磁器・ＡＢＳ樹脂・合金・非鉄合金等硬質な材料を用い反響効果を得て音の広がりを確保する。
本発明は携帯電話の音量・音質を向上させるための外部補完装置として使用される音響箱であるが充電器でもあるため携帯電話と一対のものとして使用される。
【発明の効果】
【０００５】
音響箱内部の形状を各種ホーン型にしてなおかつサイドホーンを設けることにより携帯電話を置台に乗せてスピーカー部を音源取り込み口に密着させて楽曲の再生ができるので、ホーン内音道を通過する際に再生音は拡大され電話機本体の内蔵スピーカーからの音でも十分な音量、音質を得ることができる。
本発明は電源、アンプ、スピーカーを必要とせずに機能する簡単な構造の音響箱であり、また電話機置き台部に充電機能を持たせることにより充電器つき音響箱となり、充電しながら音楽の再生ができるうえに、最も電力を消費するデータ通信使用時にも充電器として使用できる。
【０００６】
本発明では音響箱を充電器としても活用し、設計デザインすることで、装飾置物として利用しようとするものである。
【０００７】
音響箱内部の形状を各種ホーン型にし、サイドホーンを設けることにより電話機本体の内蔵スピーカーからの音でも十分な音量、音質を得ることができる。
前記のうちサイド部に設けるホーン部によって、一層の音量拡大効果を得ることができるうえに両サイドホーン内部の形状にかかわらず外観は多様な色・形が選択できるので装飾置物として活用できる。
携帯電話の音楽再生機能をして良質な音で楽しめる利点がある上に、充電器としても使用でき、その上装飾置物として利用できる効果がある。
【発明を実施するための最良の形態】
【０００８】
以下に最良の形態の実施例１から３を示す。
【実施例１】
【０００９】
図１は本発明の実施例１の斜視図である。中央音響箱１の電話置き台３の電話保持具１３に携帯電話１２を置いて保持する。
携帯電話１２の内蔵スピーカー部は電話置き台3に開口した音源取り込み口５に密着させる。  音源取り込み口５の周りは、ラバースポンジ５ａで囲むことにより機種によって違うスピーカー位置に対応させることができる。  図１ではスピーカー位置が裏面にあるタイプを示すが、裏面以外にスピーカーがあるタイプにはアタッチメントで対応させることができる。  図３には各種アタッチメントの形状を示す。
アタッチメントを用いた場合の音源取り込み口１０は、ＣＤ／ＭＤ等外部携帯用音響機器のヘッドホン、イヤホン差込口１０を使用する。また携帯電話１２を電話置き台3に載せた
まま会話ができるように受話音声口にアタッチメント１７ａを取り付けて受話音声取り込み口11に接続して対応する。電話置き台３を持つ中央音響箱１とその両サイド音響箱２の内部はホーン状で着信時・音楽再生時には電話置き台３に乗せた携帯電話１２の内蔵スピーカーの音を中央部音響箱１の内部ホーン４を通じて音量、音質が改善されて出力される。
さらに中央音響箱１の両サイドに開口した中央部音源出力口７からでた音が、両サイド音響箱２の一部に開口した音源取り込み口8より入力され両サイド音響箱2の内部ホーン６で拡大して聴くことができるようになっている。中央音響箱１と両サイド音響箱とは音源出力口７と音源取り込み口８によって連通している。携帯電話12を電話置き台３に保持する時に充電器スィッチ９が押され充電ピン１４が通電され充電開始となる。
充電ピン１４はＡＣアダプター16と内部で結線されている。
【００１０】
図２は電話置き台部３をもつ中央音響箱１と両サイド音響箱２の内部構造であって、音響箱内部にホーンと音道を形成する。中央部音響箱ホーン部４の音道長さと両サイド音響箱2のサイドホーン６の音道長さにはその距離に差を持たせて音の出力時間に差ができるようにしてあり、このことで再生音は聴感上拡がりを得てなおかつ電源・アンプ・スピーカーなどを用いることなく、十分な音質と音量を得ることができる。
【実施例２】
【００１１】
図４はサイドホーンのみの音響箱の実施例の外観の斜視図である。
中央部電話置き台３は充電器であるが、音源取り込み口５から入った音は内部で左右に振り分けられ両サイド音響箱２の内部ホーン６で拡大されながら出力される。
図５に図４の断面を示す。  C−C断面を（ｃ）、D―D断面を（ｄ）とする  。両サイド音響箱４の両サイドホーン６の形状はほら貝やホルンなどの内部構造と同じように渦巻状であって内部で音を拡大しながら出力する。この携帯電話用音響箱は一体型である。
【実施例３】
【００１２】
図６は装飾的要素を強調した音響箱の実施例の外観の斜視図である。
中央部携帯電話置き台３は充電機能を有し実施例１，２と同じく音源取り込み口５を持ち内部で音を拡大し出力する。音響箱１はバックローデイングホーンとなっており、音は音源取り込み口５から取り込まれた後にすぐ左右に振り分けられ両サイド音響箱ホーン６から出力される。この携帯電話用音響箱は一体型である。
【００１３】
図７はＥ−Ｅ断面を（ｅ）とする図６の断面図である。内部反響板１９によって音質・音量の向上を図る。また容積が大きく装飾置物としてもデザインができ、実施例１，２と比較して音道が長いために得られる音感・音質も向上している。
【００１４】
本発明のうち実施例１の性能試験成績表を下記に示す。
表１は本発明を用いた場合と用いない場合の再生音の周波数ごとの音の強さを比較した周波数特性表である。（ｆ１）は本発明を用いて再生した音の周波数特性であり（ｆ２）は携帯電話の内臓スピーカーから出力される音の周波数特性を表す。又（ｆ３）は可聴周波数帯域をあらわす。
表２は本発明を用いた場合と用いない場合の再生音の音量、大きさを比較した図であり、
（ｗ１）は携帯電話の内臓スピーカーで再生した音の距離ごとの音量データを表す。
（ｗ２）は本発明を用いて再生した音の距離ごとの音量データを表す。
いずれの結果を見ても音量・音質とも向上している。
【００１５】
【表１】
2005184050.tif 000003
【００１６】
【表２】
2005184050.tif 000004
【図面の簡単な説明】
【００１７】
【図１】図１は本発明の実施例１の斜視図である。
【００１８】
【図２】図２は図1の断面図である。中央音響箱１のＡ−Ａ断面を（ａ）、両サイドホーン２のＢ−Ｂ断面を（ｂ）とする断面で表した内部構造である。
【００１９】
【図３】図3は本発明の各種アタッチメントを示す。
【００２０】
【図４】図４はサイドホーンのみの音響箱の実施例２の斜視図である。
【００２１】
【図５】図５は図４のＣ−Ｃ断面を（ｃ）、Ｄ−Ｄ断面を（ｄ）とする俯瞰図である。
【００２２】
【図６】図６は装飾的要素を強調した音響箱の実施例３の斜視図である。
【００２３】
【図７】図７は図６のＥ−Ｅ断面を（ｅ）とする断面図で俯瞰図を示す。
【符号の説明】
【００２４】
１  充電器つき音響箱                  ２  両サイド音響箱  
３  電話置き台部                      ４  中央音響箱
５  音源取り込み口                  ５ａ  音源取り込み口ラバースポンジ
６  サイド音響箱ホーン部              ７  中央部音響箱音源出力口  
８  サイドホーン音源取り込み口        ９  充電スイッチ
１０  ヘッドホン差込口                １１  受話口音声取り込み口
１２  携帯電話機                      １３  電話機保持具
１４  充電用ピン                      １５  音量調節用仕切り板
１６  ＡＣアダプター差込口            １７  アタッチメントａ
１８  アタッチメントｂ                １９  装飾シール・写真等
２０  内部反響版
【図１】
2005184050.tif 000005
【図２】
2005184050.tif 000006
【図３】
2005184050.tif 000007
【図４】
2005184050.tif 000008
【図５】
2005184050.tif 000009
【図６】
2005184050.tif 000010
【図７】
2005184050.tif 000011